(57)【要約】【課題】  的確にかつ高効率な草取り作業を可能にする草取り機を提供する。【解決手段】  前端が土中に押入可能に形成された刃部を有する草取り爪を駆動する駆動手段を備える草取り機において、該草取り爪が前側草取り爪と後側草取り爪とからなり、前側草取り爪と後側草取り爪の前後方向に一定量の間隔を設け、該駆動手段により、前側草取り爪の刃部の前端と後側草取り爪の刃部の前端とが左右方向に同時に交互に揺動することを特徴とする草取り機。【選択図】図Ａ−７
2016059375.tif 000002
【特許請求の範囲】
【請求項１】
前端が土中に押入可能に形成された刃部を有する草取り爪を駆動する駆動手段を備える草取り機において、該草取り爪が前側草取り爪と後側草取り爪とからなり、前側草取り爪と後側草取り爪の前後方向に一定量の間隔を設け、該駆動手段により、前側草取り爪の刃部の前端と後側草取り爪の刃部の前端とが左右方向に同時に交互に揺動することを特徴とする草取り機。
【請求項２】
前端が土中に押入可能に形成された刃部を有する草取り爪を駆動する駆動手段を備える草取り機において、該草取り爪が第１前側草取り爪と第１後側草取り爪と第２前側草取り爪と第２後側草取り爪とからなり、第１前側草取り爪と第１後側草取り爪の前後方向に一定量の間隔を設け、第２前側草取り爪と第２後側草取り爪の前後方向に一定量の間隔を設け、第２後側草取り爪と第１前側草取り爪の前後方向に一定量の間隔を設け、該駆動手段により、第１前側草取り爪の刃部の前端と第１後側草取り爪の刃部の前端が左右方向に同時に交互に揺動し、第２前側草取り爪の刃部の前端と第２後側草取り爪の刃部の前端が左右方向に同時に交互に揺動し、第２後側草取り爪の刃部の前端と第１前側草取り爪の刃部の前端が左右方向に同時に交互に揺動することを特徴とする草取り機。
【発明の詳細な説明】
【技術分野】
【０００１】  本発明は、草取り機に関する。
【背景技術】
【０００２】  従来、草取り機は、地面上を移動する移動手段を備えた台車の前部に回転する草取り刃を設け、回転する草取り刃を土に押し込み、雑草等を根元から取り除く構成のものがある（特許文献１参照）。又、刃の前端が土中に押入可能に形成されてなる刃部を有する草取り片が駆動手段によって前後左右に揺動し草を取り除く構成のものがある（特許文献２参照）。【０００３】  ところが、上記特許文献１に記載の草取り機には、草を除去するとき、回転する取り刃に草がからみつくことが多く、からみついた草を取り除いた後に作業を再開する必要があり、また、庭木の幹の直近の草、あるいは密集した野菜の直近に生えた草は、草取り機の台車が、庭木の幹の直近あるいは密集部分に入り込めないため作業を一旦中断する必要があるという問題がある。また、上記特許文献２に記載の草取り機には、刃の先端が土中に押入可能に形成されている草取り刃が１つのため、土を崩そうとすると、前後あるいは左右に揺動状態で土の中に押入れようとすると、刃の先端が土あるいは草の根にあたったときに跳ね返りの力が草取り機にかかり、草取り機が持ち上げられる。草を取る人が跳ね返りの力にまけない力を加えることにより、土あるいは草の根を崩すことができて草を除去する方法であり、固い土あるいは密集した草の根は跳ね返り力が大きく固い土あるいは密集した草の根を崩すことができない、また草を取る人にとっては草取り機の跳ね返りは危険であるという問題がある。
【先行技術文献】
【特許文献】
【０００４】
【特許文献１】  特開２０００−１８８９２１号公報
【特許文献２】  特開平１１−１６８９３４号公報
【発明の概要】
【発明が解決しようとする課題】
【０００５】  本発明が解決しようとする課題は、効率よくかつ安全に草取りを行うことができる草取り機を提供する処にある。
【課題を解決するための手段】
【０００６】  すなわち本発明は、前端が土中に押入可能に形成された刃部を有する草取り爪を駆動する駆動手段を備える草取り機において、該草取り爪が前側草取り爪と後側草取り爪からなり、前側草取り爪と後側草取り爪の前後方向に一定量の間隔を設け、該駆動手段により、前側草取り爪の刃部の前端と後側草取り爪の刃部の前端とが左右方向に同時に交互に揺動することを特徴とする草取り機に係る。
【発明の効果】
【０００７】  本発明の草取り機は、前端が土中に押入可能に形成された刃部を有する草取り爪を駆動する駆動手段を備える草取り機において、該草取り爪が前側草取り爪と後側草取り爪とからなり、前側草取り爪と後側草取り爪の前後方向に一定量の間隔を設け、該駆動手段により、前側草取り爪の刃部の前端と後側草取り爪の刃部の前端とが左右方向に同時に交互に揺動することにより、刃の前端は土あるいは草の根を崩しながら土中深く入り込み、かつ刃の前端に草がからまることがなく草と草の根を除去できる。又、草取り機は、刃の前端が左右方向に同時に交互に揺動することにより、刃の前端が土あるいは草の根のあたったときに跳ね返りの力が草取り機にかかることがないので安全であり、また小石等をかみこまないので安全である。さらに軽量でコンパクトでありかつ揺動する刃の前端はボディよりはみ出ているので、庭木・野菜の直近に近づくことができ、庭木の幹の地中付近の草、あるいは密集した野菜の根元に生えた草を除去することができる。また、本発明の草取り機は、前端が土中に押入可能に形成された刃部を有する草取り爪を駆動する駆動手段を備える草取り機において、該草取り爪が第１前側草取り爪と第１後側草取り爪と第２前側草取り爪と第２後側草取り爪とからなり、第１前側草取り爪と第１後側草取り爪の前後方向に一定量の間隔を設け、第２前側草取り爪と第２後側草取り爪の前後方向に一定量の間隔を設け、第２後側草取り爪と第１前側草取り爪の前後方向に一定量の間隔を設け、該駆動手段により、第１前側草取り爪の刃部の前端と第１後側草取り爪の刃部の前端が左右方向に同時に交互に揺動し、第２前側草取り爪の刃部の前端と第２後側草取り爪の刃部の前端が左右方向に同時に交互に揺動し、第２後側草取り爪の刃部の前端と第１前側草取り爪の刃部の前端が左右方向に同時に交互に揺動することにより、刃の前端は土あるいは草の根を幅広く崩しながら土中深く入り込み、かつ刃の前端に草がからまることがなく草と草の根を除去できる。又、草取り機は、刃の前端が左右方向に同時に交互に揺動することにより、刃の前端が土あるいは草の根のあたったときに跳ね返りの力が草取り機にかかることがないので安全であり、また小石等をかみこまないので安全である。さらに軽量でコンパクトでありかつ揺動する刃の先端はボディよりはみ出ているので、庭木・野菜の直近に近づくことができ、庭木の幹の地中付近の草、あるいは密集した野菜の根元に生えた草を除去することができる。
【図面の簡単な説明】
【０００８】
【図Ａ−１】本発明の一実施形態における草取り爪が２つの草取り機（以下、草取り機Ａという）の正面図である。
【図Ａ−２】本発明の一実施形態における草取り機Ａの側面図である。
【図Ａ−３】図Ａ−１のＶ−Ｖ方向からの草取り機Ａの要部の断面図である。
【図Ａ−４】図Ａ−２のＷ−Ｗ方向からの草取り機Ａの要部の概略正面図であって、後側草取り爪Ａ−２４と前側草取り爪Ａ−２７とが中間位置にある図である。
【図Ａ−５】図Ａ−２のＷ−Ｗ方向からの草取り機Ａの要部の概略正面図であって、後側草取り爪Ａ−２４が右端の状態であり、前側草取り爪Ａ−２７が左端の状態にある図である。
【図Ａ−６】図Ａ−２のＷ−Ｗ方向からの草取り機Ａの要部の概略正面図であって、後側草取り爪Ａ−２４が左端の状態であり、前側草取り爪Ａ−２７が右端の状態にある図である。
【図Ａ−７】本発明の一実施形態における草取り機Ａの概観図である。
【図Ｂ−１】本発明の一実施形態における草取り爪が４つの草取り機（以下、草取り機Ｂという）の正面図である。
【図Ｂ−２】本発明の一実施形態における草取り機Ｂの側面図である。
【図Ｂ−３】図Ｂ−１のＸ−Ｘ方向からの草取り機Ｂの要部の断面図である。
【図Ｂ−４】図Ｂ−２のＹ−Ｙ方向からの草取り機Ｂの要部の概略正面図であって、第２後側草取り爪Ｂ−２４−２と第２前側草取り爪Ｂ−２７−２とが中間位置にある図である。
【図Ｂ−５】図Ｂ−２のＹ−Ｙ方向からの草取り機Ｂの要部の概略正面図であって、第２後側草取り爪Ｂ−２４−２が右端の状態であり、第２前側草取り爪Ｂ−２７−２が左端の状態にある図である。
【図Ｂ−６】図Ｂ−２のＹ−Ｙ方向からの草取り機Ｂの要部の概略正面図であって、第２後側草取り爪Ｂ−２４−２が左端の状態であり、第２前側草取り爪Ｂ−２７−２が右端の状態にある図である。
【図Ｂ−７】図Ｂ−２のＺ−Ｚ方向からの草取り機Ｂの要部の概略正面図であって、第１後側草取り爪Ｂ−２４−１と第１前側草取り爪Ｂ−２７−１とが中間位置にある図である。
【図Ｂ−８】図Ｂ−２のＺ−Ｚ方向からの草取り機Ｂの要部の概略正面図であって、第１後側草取り爪Ｂ−２４−１が右端の状態であり、第１前側草取り爪Ｂ−２７−１が左端の状態にある図である。
【図Ｂ−９】図Ｂ−２のＺ−Ｚ方向からの草取り機Ｂの要部の概略正面図であって、第１後側草取り爪Ｂ−２４−１が左端の状態であり、第１前側草取り爪Ｂ−２７−１が右端の状態にある図である。
【図Ｃ−１】本発明の一実施形態における草取り機Ａの使用状態を示す側面図である。
【図Ｃ−２】本発明の一実施形態における草取り機Ａの使用状態を示す側面図である。
【図Ｃ−３】本発明の一実施形態における草取り機Ａの使用状態を示す平面図である。
【図Ｄ−１】本発明の一実施形態における草取り機Ａの使用状態を示す側面図である。
【発明を実施するための形態】
【０００９】  本発明の草取り機は、前端が土中に押入可能に形成された刃部を有する草取り爪を駆動する駆動手段を備える草取り機において、該草取り爪が前側草取り爪と後側草取り爪とからなり、前側草取り爪と後側草取り爪の前後方向に一定量の間隔を設け、該駆動手段により、前側草取り爪の刃部の前端と後側草取り爪の刃部の前端とが左右方向に同時に交互に揺動するものである。
【００１０】  また、本発明の草取り機は、前端が土中に押入可能に形成された刃部を有する草取り爪を駆動する駆動手段を備える草取り機において、該草取り爪が第１前側草取り爪と第１後側草取り爪と第２前側草取り爪と第２後側草取り爪とからなり、第１前側草取り爪と第１後側草取り爪の前後方向に一定量の間隔を設け、第２前側草取り爪と第２後側草取り爪の前後方向に一定量の間隔を設け、第２後側草取り爪と第１前側草取り爪の前後方向に一定量の間隔を設け、該駆動手段により、第１前側草取り爪の刃部の前端と第１後側草取り爪の刃部の前端が左右方向に同時に交互に揺動し、第２前側草取り爪の刃部の前端と第２後側草取り爪の刃部の前端が左右方向に同時に交互に揺動し、第２後側草取り爪の刃部の前端と第１前側草取り爪の刃部の前端が左右方向に同時に交互に揺動するものである。
【００１１】  具体的には、最初に草取り爪が２つである草取り機Ａの実施形態について説明する。図Ａ−１〜図Ａ−７は、草取り機Ａの図面である。図Ａ−１において、後側刃部Ａ−２５の後側刃部の前端部Ａ−２６は鋭角な略三角形状に形成されており、後側草取り爪Ａ−２４の後側刃部Ａ−２５は略フォーク形状に形成されている。該後側刃部Ａ−２５は、後側方向に１０度程度湾曲している。また、前側刃部Ａ−２８の前側刃部の前端部Ａ−２９は鋭角な略三角形状に形成されており、前側草取り爪Ａ−２７の前側刃部Ａ−２８は略フォーク形状に形成されている。後側草取り爪Ａ−２４と前側草取り爪Ａ−２７について、使用する部材を特に制限するものではないが、土を崩す時の摩耗や石等による破損等による各爪部部分の損傷を防ぐために焼き入れ鋼等の耐摩耗性の金属材料や硬質クロームメッキ等の表面処理した金属材料を用いることが好ましい。
【００１２】  図Ａ−２に示したように、駆動手段Ａ−５は、駆動モータＡ−２と駆動歯車Ａ−３とスイッチＡ−４で構成され、駆動モータＡ−２の出力軸には駆動歯車Ａ−３が結合され、スイッチＡ−４により駆動モータＡ−２がオン・オフすることにより駆動歯車Ａ−３の回転がオン・オフするように設けられている。
【００１３】  歯車軸Ａ−１０の両端の一方はボディフランジＡ−６に挿入支持され、片方はボディプレートＡ−２１に挿入支持されている。該歯車軸Ａ−１０には、ボディフランジＡ−６側より以下の順に減速歯車Ａ−１２、後側カムＡ−１３、歯車軸スペーサＡ−１５、前側カムＡ−１４が結合している。駆動歯車Ａ−３と減速歯車Ａ−１２は外周接触し、前記駆動手段Ａ−５が回転することにより、歯車軸Ａ−１０はスムーズな回転をし、歯車軸Ａ−１０に結合している後側カムＡ−１３と前側カムＡ−１４もスムーズに回転するように設けられている。
【００１４】  後側カムＡ−１３は円筒形状しており、円筒の中心軸は歯車軸Ａ−１０から偏芯していて、該後側カムＡ−１３の外周面は、後側草取り爪Ａ−２４の後側爪カム長穴Ａ−３４の内壁である後側爪カム長穴ガイド面Ａ−３５に押圧して揺動可能のように設けられている。また、前側カムＡ−１４は円筒形状しており、円筒の中心軸は歯車軸Ａ−１０から偏芯しているとともに、該前側カムＡ−１４は、後側カムＡ−１３と歯車軸Ａ−１０に対して１８０度反転するように配置し、後側カムＡ−１３と前側カムＡ−１４の間に歯車軸スペーサＡ−１５を入れ結合していて、且つ、該前側カムＡ−１４の外周面は、前側草取り爪Ａ−２７の前側爪カム長穴Ａ−３６の内壁である前側カム長穴ガイド面Ａ−３７に押圧して揺動可能のように設けられている。これにより、前側草取り爪Ａ−２７と後側草取り爪Ａ−２４の揺動方向は、左右方向に同時に交互に揺動する。
【００１５】  左右２個ある草取り爪軸部Ａ−２０は、軸Ａ−１７と軸スペーサＡ−１８と軸ボルトＡ−１９とで構成されている。該軸Ａ−１７の両端面において、一方の端面はボディフランジＡ−６に接触し、軸ボルトＡ−１９にて軸スペーサＡ−１８とボディフランジＡ−６を軸Ａ−１７に締結し、また、片方の端面は、ボディプレートＡ−２１に接触し、軸ボルトＡ−１９にて軸スペーサＡ−１８とボディプレートＡ−２１を軸Ａ−１７に締結している。
【００１６】  後側草取り爪Ａ−２４には左右に２個の後側爪長穴Ａ−３０が設けられて、前側草取り爪Ａ−２７には左右に２個の前側爪長穴Ａ−３２が設けられている。左右２つの草取り爪軸部Ａ−２０の左の草取り爪軸部Ａ−２０には、左の後側爪長穴Ａ−３０と左の前側爪長穴Ａ−３２とが入るように設けられて、右の草取り爪軸部Ａ−２０には、右の後側爪長穴Ａ−３０と右の前側爪長穴Ａ−３２とが入るように設けられている。
【００１７】  左の軸Ａ−１７の外周には、ボディフランジＡ−６側より順に、左の後側爪長穴Ａ−３０の後側爪長穴ガイド面Ａ−３１と接触するように設けられて、次に爪軸スペーサＡ−２３を設けられて、次に左の前側爪長穴Ａ−３２の前側爪長穴ガイド面Ａ−３３と接触するように設けられている。右の軸Ａ−１７の外周には、ボディフランジＡ−６側より順に、右の後側爪長穴Ａ−３０の後側爪長穴ガイド面Ａ−３１と接触するように設けられて、次に爪軸スペーサＡ−２３を設けられて、次に右の前側爪長穴Ａ−３２の前側爪長穴ガイド面Ａ−３３と接触するように設けられている。
【００１８】  後側草取り爪Ａ−２４は、後側カムＡ−１３が回転することにより、左右の草取り爪軸部Ａ−２０の左右の軸Ａ−１７が上下方向のガイドとなり、ボディフランジＡ−６とボディプレートＡ−２１で両端の前後方向のガイドになり、上下方向及び前後方向の２方向でガイドになり左右方向に直線的に揺動する。また、前側草取り爪Ａ−２７は、前側カムＡ−１４が回転することにより、左右の草取り爪軸部Ａ−２０の左右の軸Ａ−１７が上下方向のガイドとなり、ボディフランジＡ−６とボディプレートＡ−２１で両端の前後方向のガイドになり、上下方向及び前後方向の２方向でガイドになり左右方向に直線的に揺動する。尚、左右２個の爪軸スペーサＡ−２３は、後側草取り爪Ａ−２４と前側草取り爪Ａ−２７とが左右方向に同時に揺動するとき、後側刃部Ａ−２５と前側刃部Ａ−２８の間に小石等がかみこまないようにするためのものであり数ｍｍ程度の厚みとするが、１〜３ｍｍとするのが好ましい。
【００１９】  土、小石或いは草等が草取り機本体内部に入り込み駆動モータＡ−２等に障害が生じることを防止する目的で、図Ａ−２に示したように、ボディフランジＡ−６には、左右２個の取付板Ａ−７が締結され、草取り機本体Ａ−１の上部と下部と後部には、ボディカバーＡ−１１が設けられて、草刈り機本体Ａ−１の前部の上部にはボディ前板Ａ−２２が設けられている。これにより、外部より土、小石あるいは草が内部に入らないようして駆動モータＡ−２等を保護している。
【００２０】  本発明の草取り機Ａは、以上説明したように、部品点数が少なく、小型である。本発明の草取り機Ａは、部品の材料を特に制限するものではないが、中でも、ボディフランジＡ−６、ボディ前板Ａ−２２、取付板Ａ−７については、樹脂或いはアルミ材の使用による軽量化が好ましく、柄Ａ−３８については、樹脂等のパイプ材の使用による軽量化が好ましい。
【００２１】  図Ａ−２に示したように、左右の取付板Ａ−７の後側上部には、左右の取付ボルトＡ−９により柄Ａ−３８を設けており、草を取る人は立ったまま草を取ることができる。咳柄Ａ−３８の上部にはスイッチＡ−４を設けられているので、草を取る人は立った状態でスイッチＡ−４の操作ができ、駆動手段Ａ−５のオン・オフができる。
【００２２】  図Ａ−４〜図Ａ−６は、草取り機Ａの実施形態として、後側草取り爪Ａ−２４と前側草取り爪Ａ−２７との揺動状態を示すものである。図Ａ−４は、後側草取り爪Ａ−２４と前側草取り爪Ａ−２７が揺動状態における中間位置を示している。図Ａ−５は、図Ａ−４における後側カムＡ−１３と前側カムＡ−１４が歯車軸Ａ−１０に対して９０度旋回した状態で、後側草取り爪Ａ−２４が右端の状態、前側草取り爪Ａ−２７が左端の状態を示している。図Ａ−６は、図Ａ−４における後側カムＡ−１３と前側カムＡ−１４が歯車軸Ａ−１０に対して２７０度旋回した状態で、後側草取り爪Ａ−２４が左端の状態、前側草取り爪Ａ−２７が右端の状態を示している。
【００２３】  次に、以上のように構成された草取り機Ａの実施形態の使用状態について、図Ａ−１〜図Ａ−７を用いて説明する。
【００２４】  図Ａ−１に示したように、柄Ａ−３８の上部に設けたスイッチＡ−４をオンすることにより駆動モータＡ−２が回転し、駆動手段Ａ−５が回転することにより、減速歯車Ａ−１２を介して歯車軸Ａ−１０を中心に後側カムＡ−１３と前側カムＡ−１４が回転する。
【００２５】  後側カムＡ−１３は円筒形状しており、円筒の中心軸は歯車軸Ａ−１０から偏芯していて、該後側カムＡ−１３の外周面は、後側草取り爪Ａ−２４の後側爪カム長穴Ａ−３４の内壁である後側爪カム長穴ガイド面Ａ−３５に押圧して揺動可能のように設けられている。また、前側カムＡ−１４は円筒形状しており、円筒の中心軸は歯車軸Ａ−１０から偏芯しているとともに、該前側カムＡ−１４は、後側カムＡ−１３と歯車軸Ａ−１０に対して１８０度反転するように配置し、後側カムＡ−１３と前側カムＡ−１４の間に歯車軸スペーサＡ−１５を入れ結合していて、且つ、該前側カムＡ−１４の外周面は、前側草取り爪Ａ−２７の前側爪カム長穴Ａ−３６の内壁である前側カム長穴ガイド面Ａ−３７に押圧して揺動可能のように設けられている。
【００２６】  左右２個ある草取り爪軸部Ａ−２０は、軸Ａ−１７と軸スペーサＡ−１８と軸ボルトＡ−１９とで構成されている。該軸Ａ−１７の両端面において、一方の端面はボディフランジＡ−６に接触し、軸ボルトＡ−１９にて軸スペーサＡ−１８とボディフランジＡ−６を軸Ａ−１７に締結し、また、片方の端面は、ボディプレートＡ−２１に接触し、軸ボルトＡ−１９にて軸スペーサＡ−１８とボディプレートＡ−２１を軸Ａ−１７に締結している。
【００２７】  後側草取り爪Ａ−２４には左右に２個の後側爪長穴Ａ−３０が設けられて、前側草取り爪Ａ−２７には左右に２個の前側爪長穴Ａ−３２が設けられている。左右２つの草取り爪軸部Ａ−２０の左の草取り爪軸部Ａ−２０には、左の後側爪長穴Ａ−３０と左の前側爪長穴Ａ−３２とが入るように設けられて、右の草取り爪軸部Ａ−２０には、右の後側爪長穴Ａ−３０と右の前側爪長穴Ａ−３２とが入るように設けられている。
【００２８】  左の軸Ａ−１７の外周には、ボディフランジＡ−６側より順に、左の後側爪長穴Ａ−３０の後側爪長穴ガイド面Ａ−３１と接触するように設けられて、次に爪軸スペーサＡ−２３を設けられて、次に左の前側爪長穴Ａ−３２の前側爪長穴ガイド面Ａ−３３と接触するように設けられている。右の軸Ａ−１７の外周には、ボディフランジＡ−６側より順に、右の後側爪長穴Ａ−３０の後側爪長穴ガイド面Ａ−３１と接触するように設けられて、次に爪軸スペーサＡ−２３を設けられて、次に右の前側爪長穴Ａ−３２の前側爪長穴ガイド面Ａ−３３と接触するように設けられている。
【００２９】  後側草取り爪Ａ−２４は、後側カムＡ−１３が回転することにより、左右の草取り爪軸部Ａ−２０の左右の軸Ａ−１７が上下方向のガイドとなり、ボディフランジＡ−６とボディプレートＡ−２１で両端の前後方向のガイドになり、上下方向及び前後方向の２方向でガイドになり左右方向に直線的に揺動する。また、前側草取り爪Ａ−２７は、前側カムＡ−１４が回転することにより、左右の草取り爪軸部Ａ−２０の左右の軸Ａ−１７が上下方向のガイドとなり、ボディフランジＡ−６とボディプレートＡ−２１で両端の前後方向のガイドになり、上下方向及び前後方向の２方向でガイドになり左右方向に直線的に揺動する。
【００３０】  固い土あるいは密集している草を取り除くためには大きな力が必要であるが、後側草取り爪Ａ−２４の刃部の前端と前側草取り爪Ａ−２７の刃部の前端は左右方向に同時に交互に揺動しているので、一方の草取り爪の刃部の前端が固い土あるいは密集している草の根に当たり大きな力がかかるとき、片方の草取り爪の刃部の前端には一方の草取り爪の刃部の前端の反対方向の力が加わり、跳ね返る力がない状態で固い土あるいは密集している草の根を崩すことができるので草および草の根を除去できる。
【００３１】  これに対して、草取り爪が１つのときの事例、草取り爪が２つあり刃が同時に動作するときの事例、あるいは草取り爪が２つあり刃が単独で交互に動作するときの事例は、草取り爪の刃の前端が固い土あるいは密集している草の根にあたり大きな力がかかるとき、草取り爪の刃の前端に加わった力を受けるところがないため、草取り機本体に力がかかり草取り機本体が持ち上げられて固い土を崩すことができないため草と草の根を除去できない。
【００３２】  同時にできる土或いは草の根を崩す幅は、後側草取り爪Ａ−２４の刃部の前端と前側草取り爪Ａ−２７の刃部の前端は左右方向に同時に交互に揺動して、後側草取り爪Ａ−２４の刃部の前端が後側方向に１０度程度湾曲して、前側草取り爪Ａ−２７の刃部の前端は直線であり、後側草取り爪Ａ−２４の刃部の前端と前側草取り爪Ａ−２７の刃部の前端の距離が崩す幅になり広くなっている。
【００３３】  次に草取り爪が４つである草取り機Ｂの実施形態について説明する。図Ｂ−１〜図Ｂ−９は、草取り機Ｂの図面である。第１後側刃部Ｂ−２５−１の第１後側刃部の前端部Ｂ−２６−１は鋭角な略三角形状に形成されており、第１後側草取り爪Ｂ−２４−１の第１後側刃部Ｂ−２５−１は略フォーク形状に形成されていて、且つ、後側方向に１０度程度湾曲していて、第１前側刃部Ｂ−２８−１の第１前側刃部の前端部Ｂ−２９−１は鋭角な略三角形状に形成されて、第１前側草取り爪Ｂ−２７−１の第１前側刃部Ｂ−２８−１は略フォーク形状に形成されている。尚、第２後側刃部Ｂ−２５−２の第２後側刃部の前端部Ｂ−２６−２は鋭角な略三角形状に形成されており、第２後側草取り爪Ｂ−２４−２の第２後側刃部Ｂ−２５−２は略フォーク形状に形成されていて、且つ、前側方向に８度程度湾曲していて、第２前側刃部Ｂ−２８−２の第２前側刃部の前端部Ｂ−２９−２は鋭角な略三角形状に形成されて、第２前側草取り爪Ｂ−２７−２の第２前側刃部Ｂ−２８−２は略フォーク形状に形成されていて、且つ、前側方向に１６度程度湾曲している。
【００３４】  第１後側草取り爪Ｂ−２４−１、第１前側草取り爪Ｂ−２７−１、第２後側草取り爪Ｂ−２４−２及び第２前側草取り爪Ｂ−２７−２について、使用する部材を特に制限するものではないが、土を崩す時の摩耗や石等による破損等による各爪部部分の損傷を防ぐために焼き入れ鋼等の耐摩耗性の金属材料や硬質クロームメッキ等の表面処理した金属材料を用いることが好ましい。
【００３５】  駆動手段Ｂ−５は、駆動モータＢ−２と駆動歯車Ｂ−３とスイッチＢ−４で構成され、駆動モータＢ−２の出力軸には駆動歯車Ｂ−３が結合され、スイッチＢ−４により駆動モータＢ−２がオン・オフすることにより駆動歯車Ｂ−３の回転がオン・オフするように設けられている。
【００３６】  歯車軸Ｂ−１０の両端の一方はボディフランジＢ−６に挿入支持され、片方はボディプレートＢ−２１に挿入支持されている、歯車軸Ｂ−１０には、ボディフランジＢ−６側より以下の順に減速歯車Ｂ−１２、第１後側カムＢ−１３−１、第１歯車軸スペーサＢ−１５−１、第１前側カムＢ−１４−１、追加歯車軸スペーサＢ−１５−３、第２後側カムＢ−１３−２、第２歯車軸スペーサＢ−１５−２、第２前側カムＢ−１４−２が結合していて、駆動歯車Ｂ−３と減速歯車Ｂ−１２は外周接触し、前記駆動手段Ｂ−５が回転することにより歯車軸Ｂ−１０はスムーズな回転をし、歯車軸Ｂ−１０に結合している第１後側カムＢ−１３−１と第１前側カムＢ−１４−１と第２後側カムＢ−１３−２と第２前側カムＢ−１４−２もスムーズに回転する。
【００３７】  第１後側カムＢ−１３−１は円筒形状しており、円筒の中心軸は歯車軸Ｂ−１０から偏芯していて、第１後側カムＢ−１３−１の外周面は、第１後側草取り爪Ｂ−２４−１の第１後側爪カム長穴Ｂ−３４−１の内壁である第１後側爪カム長穴ガイド面Ｂ−３５−１に押圧して揺動可能のように設けられている。又、第１前側カムＢ−１４−１は円筒形状しており、円筒の中心軸は歯車軸Ｂ−１０から偏芯しているとともに、第１前側カムＢ−１４−１は、歯車軸Ｂ−１０に対して第１後側カムＢ−１３−１と１８０度反転するように配置し、第１後側カムＢ−１３−１と第１前側カムＢ−１４−１の間に第１歯車軸スペーサＢ−１５−１を入れ結合していて、且つ、第１前側カムＢ−１４−１の外周面は、第１前側草取り爪Ｂ−２７−１の第１前側爪カム長穴Ｂ−３６−１の内壁である第１前側爪カム長穴ガイド面Ｂ−３７−１に押圧して揺動可能のように設けられている。又、第２後側カムＢ−１３−２は円筒形状しており、円筒の中心軸は歯車軸Ｂ−１０から偏芯しているとともに、図には未記入であるが第２後側カムＢ−１３−２は、歯車軸Ｂ−１０に対して第１前側カムＢ−１４−１と１８０度反転するように配置し、第１前側カムＢ−１４−１と第２後側カムＢ−１３−２の間に追加歯車軸スペーサＢ−１５−３を入れ結合していて、且つ、第２後側カムＢ−１３−２の外周面は、第２後側草取り爪Ｂ−２４−２の第２後側爪カム長穴Ｂ−３４−２の内壁である第２後側爪カム長穴ガイド面Ｂ−３５−２に押圧して揺動可能のように設けられている。又、第２前側カムＢ−１４−２は円筒形状しており、円筒の中心軸は歯車軸Ｂ−１０から偏芯しているとともに、第２前側カムＢ−１４−２は、歯車軸Ｂ−１０に対して第２後側カムＢ−１３−２と１８０度反転するように配置し、第２後側カムＢ−１３−２と第２前側カムＢ−１４−２の間に第２歯車軸スペーサＢ−１５−２を入れ結合していて、且つ、第２前側カムＢ−１４−２の外周面は、第２前側草取り爪Ｂ−２７−２の第２前側爪カム長穴Ｂ−３６−２の内壁である第２前側爪カム長穴ガイド面Ｂ−３７−２に押圧して揺動可能のように設けられている。
【００３８】  左右２個ある草取り爪軸部Ｂ−２０は、軸Ｂ−１７と軸スペーサＢ−１８と軸ボルトＢ−１９で構成され、軸Ｂ−１７の両端面の一方の端面は、ボディフランジＢ−６に接触し、軸ボルトＢ−１９にて軸スペーサＢ−１８とボディフランジＢ−６を軸Ｂ−１７に締結し、片方の端面は、ボディプレートＢ−２１に接触し、軸ボルトＢ−１９にて軸スペーサＢ−１８とボディプレートＢ−２１を軸Ｂ−１７に締結している。
【００３９】  第１後側草取り爪Ｂ−２４−１には左右に２個の第１後側爪長穴Ｂ−３０−１が設けられおり、第１前側草取り爪Ｂ−２７−１には左右に２個の第１前側爪長穴Ｂ−３２−１が設けられている。第２後側草取り爪Ｂ−２４−２には左右に２個の第２後側爪長穴Ｂ−３０−２が設けられており、第２前側草取り爪Ｂ−２７−２には左右に２個の第２前側爪長穴Ｂ−３２−２が設けられており、左右２つの草取り爪軸部Ｂ−２０の左の草取り爪軸部Ｂ−２０には、左の第１後側爪長穴Ｂ−３０−１と左の第１前側爪長穴Ｂ−３２−１と左の第２後側爪長穴Ｂ−３０−２と左の第２前側爪長穴Ｂ−３２−２が入るように設けられていて、右の草取り爪軸部Ｂ−２０には、右の第１後側爪長穴Ｂ−３０−１と右の第１前側爪長穴Ｂ−３２−１と右の第２後側爪長穴Ｂ−３０−２と右の第２前側爪長穴Ｂ−３２−２が入るように設けられている。
【００４０】  左の軸Ｂ−１７の外周には、ボディフランジＢ−６側より順に、左の第１後側爪長穴Ｂ−３０−１の第１後側爪長穴ガイド面Ｂ−３１−１と接触するように設けられており、次に第１爪軸スペーサＢ−２３−１が設けられており、次に左の第１前側爪長穴Ｂ−３２−１の第１前側爪長穴ガイド面Ｂ−３３−１と接触するように設けられており、次に追加爪軸スペーサＢ−２３−３が設けられていて、次に左の第２後側爪長穴Ｂ−３０−２の第２後側爪長穴ガイド面Ｂ−３１−２と接触するように設けられており、次に第２爪軸スペーサＢ−２３−２が設けられており、次に左の第２前側爪長穴Ｂ−３２−２の第２前側爪長穴ガイド面Ｂ−３３−２と接触するように設けられている。右の軸Ｂ−１７の外周には、ボディフランジＢ−６側より順に、右の第１後側爪長穴Ｂ−３０−１の第１後側爪長穴ガイド面Ｂ−３１−１と接触するように設けられており、次に第１爪軸スペーサＢ−２３−１が設けられており、次に右の第１前側爪長穴Ｂ−３２−１の第１前側爪長穴ガイド面Ｂ−３３−１と接触するように設けられており、次に追加爪軸スペーサＢ−２３−３が設けられており、次に右の第２後側爪長穴Ｂ−３０−２の第２後側爪長穴ガイド面Ｂ−３１−２と接触するように設けられており、次に第２爪軸スペーサＢ−２３−２が設けられており、次に右の第２前側爪長穴Ｂ−３２−２の第２前側爪長穴ガイド面Ｂ−３３−２と接触するように設けられている。
【００４１】  第１後側草取り爪Ｂ−２４−１は、第１後側カムＢ−１３−１が回転することにより、左右の草取り爪軸部Ｂ−２０の左右の軸Ｂ−１７が上下方向のガイドとなり、ボディフランジＢ−６とボディプレートＢ−２１で両端の前後方向のガイドになり、上下方向及び前後方向の２方向でガイドになり、左右方向に直線的に揺動する。第１前側草取り爪Ｂ−２７−１は、第１前側カムＢ−１４−１が回転することにより、左右の草取り爪軸部Ｂ−２０の左右の軸Ｂ−１７が上下方向のガイドとなり、ボディフランジＢ−６とボディプレートＢ−２１で両端の前後方向のガイドになり、上下方向及び前後方向の２方向でガイドになり、左右方向に直線的に揺動する。第２後側草取り爪Ｂ−２４−２は、第２後側カムＢ−１３−２が回転することにより、左右の草取り爪軸部Ｂ−２０の左右の軸Ｂ−１７が上下方向のガイドとなり、ボディフランジＢ−６とボディプレートＢ−２１で両端の前後方向のガイドになり、上下方向及び前後方向の２方向でガイドになり、左右方向に直線的に揺動する。第２前側草取り爪Ｂ−２７−２は、第２前側カムＢ−１４−２が回転することにより、左右の草取り爪軸部Ｂ−２０の左右の軸Ｂ−１７が上下方向のガイドとなり、ボディフランジＢ−６とボディプレートＢ−２１で両端の前後方向のガイドになり、上下方向及び前後方向の２方向でガイドになり、左右方向に直線的に揺動する。
【００４２】  左右２個の第１爪軸スペーサＢ−２３−１は、第１後側草取り爪Ｂ−２４−１と第１前側草取り爪Ｂ−２７−１が左右方向に同時に揺動するとき、第１後側刃部Ｂ−２５−１と第１前側刃部Ｂ−２８−１の間に小石等がかみこまないようにするためのものであり、左右２個の追加爪軸スペーサＢ−２３−３は、第１前側草取り爪Ｂ−２７−１と第２後側草取り爪Ｂ−２４−２が左右方向に同時に揺動するとき、第１前側刃部Ｂ−２８−１と第２後側刃部Ｂ−２５−２の間に小石等がかみこまないようにするためのものであり、左右２個の第２爪軸スペーサＢ−２３−２は、第２後側草取り爪Ｂ−２４−２と第２前側草取り爪Ｂ−２７−２が左右方向に同時に揺動するとき、第２後側刃部Ｂ−２５−２と第２前側刃部Ｂ−２８−２の間に小石等がかみこまないようにするためのものであり、第１爪軸スペーサＢ−２３−１と追加爪軸スペーサＢ−２３−３と第２爪軸スペーサＢ−２３−２は数ｍｍ程度の厚みとするが、１〜３ｍｍとするのが好ましい。
【００４３】  ボディフランジＢ−６には、左右２個の取付板Ｂ−７が締結され、草取り機本体Ｂ−１の上部、下部、後部には、ボディカバーＢ−１１が設けられており、草刈り機本体Ｂ−１の前部の上部にはボディ前板Ｂ−２２が設けられている。これにより、外部より土、小石あるいは草が内部に入らないようして駆動モータＢ−２等を保護している。
【００４４】  本発明の草取り機Ｂは、以上説明したように、部品点数が少なく、小型である。本発明の草取り機Ｂは、部品の材料を特に制限するものではないが、中でも、ボディフランジＢ−６、ボディ前板Ｂ−２２、取付板Ｂ−７については、樹脂或いはアルミ材の使用による軽量化が好ましく、柄Ｂ−３８については、樹脂等のパイプ材の使用による軽量化が好ましい。
【００４５】  左右の取付板Ｂ−７の後側上部には、左右の取付ボルトＢ−９により柄Ｂ−３８を設けており、草を取る人は立ったまま草を取ることができる。該柄Ｂ−３８の上部にはスイッチＢ−４が設けられているので、草を取る人は立った状態でスイッチＢ−４の操作ができ、駆動手段Ｂ−５のオン・オフができる。
【００４６】  図Ｂ−４〜図Ｂ−６は、草取り機Ｂの実施形態として、第２後側草取り爪Ｂ−２４−２と第２前側草取り爪Ｂ−２７−２との揺動状態を示すものである。図Ｂ−４は、第２後側草取り爪Ｂ−２４−２と第２前側草取り爪Ｂ−２７−２が揺動状態における中間位置を示すものである。図Ｂ−５は、図Ｂ−４における第２後側カムＢ−１３−２と第２前側カムＢ−１４−２が歯車軸Ｂ−１０に対して９０度旋回した状態であり、第２後側草取り爪Ｂ−２４−２が右端の状態を示し、第２前側草取り爪Ｂ−２７−２が左端の状態を示すものである。図Ｂ−６は、図Ｂ−４における第２後側カムＢ−１３−２と第２前側カムＢ−１４−２が歯車軸Ｂ−１０に対して２７０度旋回した状態であり、第２後側草取り爪Ｂ−２４−２が左端の状態を示し、第２前側草取り爪Ｂ−２７−２が右端の状態を示すものである。
【００４７】  図Ｂ−７〜図Ｂ−９は、草取り機Ｂの実施形態として、第１後側草取り爪Ｂ−２４−１と第１前側草取り爪Ｂ−２７−１の揺動状態を示すものである。図Ｂ−７は、第１後側草取り爪Ｂ−２４−１と第１前側草取り爪Ｂ−２７−１とが揺動状態における中間位置を示すものである。図Ｂ−８は、図Ｂ−７における第１後側カムＢ−１３−１と第１前側カムＢ−１４−１が歯車軸Ｂ−１０に対して９０度旋回した状態であり、第１後側草取り爪Ｂ−２４−１が右端の状態を示し、第１前側草取り爪Ｂ−２７−１が左端の状態を示すものである。図Ｂ−９は、図Ｂ−７における第１後側カムＢ−１３−１と第１前側カムＢ−１４−１が歯車軸Ｂ−１０に対して２７０度旋回した状態であり、第１後側草取り爪Ｂ−２４−１が左端の状態を示し、第１前側草取り爪Ｂ−２７−１が右端の状態を示すものである。
【００４８】  次に、以上のように構成された草取り機Ｂの実施形態の使用状態について図Ｂ−１〜図Ｂ−９を用いて説明する。
【００４９】  柄Ｂ−３８の上部に設けたスイッチＢ−４をオンすることにより、駆動モータＢ−２が回転し、駆動手段Ｂ−５が回転することにより、減速歯車Ｂ−１２を介して歯車軸Ｂ−１０を中心に第１後側カムＢ−１３−１と第１前側カムＢ−１４−１と第２後側カムＢ−１３−２と第２前側カムＢ−１４−２が回転する。
【００５０】第１後側カムＢ−１３−１は円筒形状しており、円筒の中心軸は歯車軸Ｂ−１０から偏芯していて、第１後側カムＢ−１３−１の外周面は、第１後側草取り爪Ｂ−２４−１の第１後側爪カム長穴Ｂ−３４−１の内壁である第１後側爪カム長穴ガイド面Ｂ−３５−１に押圧して揺動可能のように設けられている。又、第１前側カムＢ−１４−１は円筒形状しており、円筒の中心軸は歯車軸Ｂ−１０から偏芯しているとともに、第１前側カムＢ−１４−１は、歯車軸Ｂ−１０に対して第１後側カムＢ−１３−１と１８０度反転するように配置し、第１後側カムＢ−１３−１と第１前側カムＢ−１４−１の間に第１歯車軸スペーサＢ−１５−１を入れ結合していて、且つ、第１前側カムＢ−１４−１の外周面は、第１前側草取り爪Ｂ−２７−１の第１前側爪カム長穴Ｂ−３６−１の内壁である第１前側爪カム長穴ガイド面Ｂ−３７−１に押圧して揺動可能のように設けられている。これにより、第１前側草取り爪Ｂ−２７−１と第１後側草取り爪Ｂ−２４−１の揺動方向は、左右方向に同時に交互に揺動する。又、第２後側カムＢ−１３−２は円筒形状しており、円筒の中心軸は歯車軸Ｂ−１０から偏芯しているとともに、図には未記入であるが第２後側カムＢ−１３−２は、歯車軸Ｂ−１０に対して第１前側カムＢ−１４−１と１８０度反転するように配置し、第１前側カムＢ−１４−１と第２後側カムＢ−１３−２の間に追加歯車軸スペーサＢ−１５−３を入れ結合していて、且つ、第２後側カムＢ−１３−２の外周面は、第２後側草取り爪Ｂ−２４−２の第２後側爪カム長穴Ｂ−３４−２の内壁である第２後側爪カム長穴ガイド面Ｂ−３５−２に押圧して揺動可能のように設けられている。これにより、第２後側草取り爪Ｂ−２４−２と第１前側草取り爪Ｂ−２７−１の揺動方向は、左右方向に同時に交互に揺動する。又、第２前側カムＢ−１４−２は円筒形状しており、円筒の中心軸は歯車軸Ｂ−１０から偏芯しているとともに、第２前側カムＢ−１４−２は、歯車軸Ｂ−１０に対して第２後側カムＢ−１３−２と１８０度反転するように配置し、第２後側カムＢ−１３−２と第２前側カムＢ−１４−２の間に第２歯車軸スペーサＢ−１５−２を入れ結合していて、且つ、第２前側カムＢ−１４−２の外周面は、第２前側草取り爪Ｂ−２７−２の第２前側爪カム長穴Ｂ−３６−２の内壁である第２前側爪カム長穴ガイド面Ｂ−３７−２に押圧して揺動可能のように設けられている。これにより、第２前側草取り爪Ｂ−２７−２と第２後側草取り爪Ｂ−２４−２の揺動方向は、左右方向に同時に交互に揺動する。
【００５１】  左右２個ある草取り爪軸部Ｂ−２０は、軸Ｂ−１７と軸スペーサＢ−１８と軸ボルトＢ−１９で構成され、軸Ｂ−１７の両端面の一方の端面は、ボディフランジＢ−６に接触し、軸ボルトＢ−１９にて軸スペーサＢ−１８とボディフランジＢ−６を軸Ｂ−１７に締結し、片方の端面は、ボディプレートＢ−２１に接触し、軸ボルトＢ−１９にて軸スペーサＢ−１８とボディプレートＢ−２１を軸Ｂ−１７に締結している。
【００５２】  第１後側草取り爪Ｂ−２４−１には左右に２個の第１後側爪長穴Ｂ−３０−１が設けられおり、第１前側草取り爪Ｂ−２７−１には左右に２個の第１前側爪長穴Ｂ−３２−１が設けられている。第２後側草取り爪Ｂ−２４−２には左右に２個の第２後側爪長穴Ｂ−３０−２が設けられており、第２前側草取り爪Ｂ−２７−２には左右に２個の第２前側爪長穴Ｂ−３２−２が設けられており、左右２つの草取り爪軸部Ｂ−２０の左の草取り爪軸部Ｂ−２０には、左の第１後側爪長穴Ｂ−３０−１と左の第１前側爪長穴Ｂ−３２−１と左の第２後側爪長穴Ｂ−３０−２と左の第２前側爪長穴Ｂ−３２−２が入るように設けられていて、右の草取り爪軸部Ｂ−２０には、右の第１後側爪長穴Ｂ−３０−１と右の第１前側爪長穴Ｂ−３２−１と右の第２後側爪長穴Ｂ−３０−２と右の第２前側爪長穴Ｂ−３２−２が入るように設けられている。
【００５３】  左の軸Ｂ−１７の外周には、ボディフランジＢ−６側より順に、左の第１後側爪長穴Ｂ−３０−１の第１後側爪長穴ガイド面Ｂ−３１−１と接触するように設けられており、次に第１爪軸スペーサＢ−２３−１が設けられており、次に左の第１前側爪長穴Ｂ−３２−１の第１前側爪長穴ガイド面Ｂ−３３−１と接触するように設けられており、次に追加爪軸スペーサＢ−２３−３が設けられていて、次に左の第２後側爪長穴Ｂ−３０−２の第２後側爪長穴ガイド面Ｂ−３１−２と接触するように設けられており、次に第２爪軸スペーサＢ−２３−２が設けられており、次に左の第２前側爪長穴Ｂ−３２−２の第２前側爪長穴ガイド面Ｂ−３３−２と接触するように設けられている。右の軸Ｂ−１７の外周には、ボディフランジＢ−６側より順に、右の第１後側爪長穴Ｂ−３０−１の第１後側爪長穴ガイド面Ｂ−３１−１と接触するように設けられており、次に第１爪軸スペーサＢ−２３−１が設けられており、次に右の第１前側爪長穴Ｂ−３２−１の第１前側爪長穴ガイド面Ｂ−３３−１と接触するように設けられており、次に追加爪軸スペーサＢ−２３−３が設けられており、次に右の第２後側爪長穴Ｂ−３０−２の第２後側爪長穴ガイド面Ｂ−３１−２と接触するように設けられており、次に第２爪軸スペーサＢ−２３−２が設けられており、次に右の第２前側爪長穴Ｂ−３２−２の第２前側爪長穴ガイド面Ｂ−３３−２と接触するように設けられている。
【００５４】  第１後側草取り爪Ｂ−２４−１は、第１後側カムＢ−１３−１が回転することにより、左右の草取り爪軸部Ｂ−２０の左右の軸Ｂ−１７が上下方向のガイドとなり、ボディフランジＢ−６とボディプレートＢ−２１で両端の前後方向のガイドになり、上下方向及び前後方向の２方向でガイドになり、左右方向に直線的に揺動する。第１前側草取り爪Ｂ−２７−１は、第１前側カムＢ−１４−１が回転することにより、左右の草取り爪軸部Ｂ−２０の左右の軸Ｂ−１７が上下方向のガイドとなり、ボディフランジＢ−６とボディプレートＢ−２１で両端の前後方向のガイドになり、上下方向及び前後方向の２方向でガイドになり、左右方向に直線的に揺動する。第２後側草取り爪Ｂ−２４−２は、第２後側カムＢ−１３−２が回転することにより、左右の草取り爪軸部Ｂ−２０の左右の軸Ｂ−１７が上下方向のガイドとなり、ボディフランジＢ−６とボディプレートＢ−２１で両端の前後方向のガイドになり、上下方向及び前後方向の２方向でガイドになり、左右方向に直線的に揺動する。第２前側草取り爪Ｂ−２７−２は、第２前側カムＢ−１４−２が回転することにより、左右の草取り爪軸部Ｂ−２０の左右の軸Ｂ−１７が上下方向のガイドとなり、ボディフランジＢ−６とボディプレートＢ−２１で両端の前後方向のガイドになり、上下方向及び前後方向の２方向でガイドになり、左右方向に直線的に揺動する。
【００５５】  草取り機Ｂにおいて、４つの草取り爪の特定の動作により、大きな力が必要な固い土或いは密集している草の根を崩して草及び草の根を容易に除去することができる。即ち、第１前側草取り爪Ｂ−２７−１の刃部の前端と第１後側草取り爪Ｂ−２４−１の刃部の前端が左右方向に同時に交互に揺動し、第２前側草取り爪Ｂ−２７−２の刃部の前端と第２後側草取り爪Ｂ−２４−２の刃部の前端が左右方向に同時に交互に揺動し、第２後側草取り爪Ｂ−２４−２の刃部の前端と第１前側草取り爪Ｂ−２７−１の刃部の前端が左右方向に同時に交互に揺動するので、一方の刃部の前端が固い土或いは密集している草の根にあたり、大きな力がかかるとき、片方の刃部の前端には一方の刃部の前端の反対方向の力が加わるので、効果的に固い土或いは密集している草の根を崩し、草および草の根を容易に除去できる。
【００５６】  これに対して、草取り爪が１つのときの事例、草取り爪が２つあり刃が同時に動作するときの事例、あるいは草取り爪が２つあり刃が単独で交互に動作するときの事例は、草取り爪の刃の前端が固い土あるいは密集している草の根にあたり大きな力がかかるとき、草取り爪の刃の前端に加わった力を受けるところがないため、草取り機本体に力がかかり草取り機本体が持ち上げられて固い土を崩すことができないため草と草の根を除去できない。
【００５７】  同時にできる土あるいは草の根を崩す幅は、第１前側草取り爪Ｂ−２７−１の刃部の前端と第１後側草取り爪Ｂ−２４−１の刃部の前端が左右方向に同時に交互に揺動し、第２前側草取り爪Ｂ−２７−２の刃部の前端と第２後側草取り爪Ｂ−２４−２の刃部の前端が左右方向に同時に交互に揺動し、第２後側草取り爪Ｂ−２４−２の刃部の前端と第１前側草取り爪Ｂ−２７−１の刃部の前端が左右方向に同時に交互に揺動し、第１後側草取り爪Ｂ−２４−１の刃部の前端が後側に１０度程度湾曲し、第１前側草取り爪Ｂ−２７−１の刃部の前端が直線であり、第２後側草取り爪Ｂ−２４−２の刃部の前端が前側に８度程度湾曲し、第２前側草取り爪Ｂ−２７−２の刃部の前端が前側に１６度程度湾曲しているので、第１後側草取り爪Ｂ−２４−１の刃部の前端と第２前側草取り爪Ｂ−２７−２の刃部の前端の距離が崩す幅になりさらに広くなっている。
【００５８】  本発明は、本発明の草取り機Ａの大きさと重量を特に制限するものではないが、ボディＡ−１６の大きさは、略直方体として、幅１３０〜１６０ｍｍ、高さ１２０〜１８０ｍｍ、奥行き９０〜１１０ｍｍが好ましい。草取り機本体Ａ−１の重量は、１５００〜２２００ｇが好ましい。本発明は、本発明の草取り機Ａを構成する爪の刃部の「上下寸法」及び「左右寸法」を特に制限するものではないが、爪の刃部の「上下寸法」は前端から４０〜５０ｍｍが好ましい。爪の刃部の「左右寸法」は１４０〜１７０ｍｍが好ましい。本発明は、本発明の草取り機Ａを構成する爪の刃部の厚みを特に制限するものではないが、１．５〜３ｍｍが好ましい。本発明の草取り機Ａを構成する刃部の前端は略三角形状である。本発明は、該前端の「底辺寸法」、「高さ寸法」及び「厚み」を特に制限するものではないが、「底辺寸法」としては２８〜３２ｍｍが好ましく、「高さ寸法」は２６〜３４ｍｍが好ましく、「厚み」は１．４〜３ｍｍが好ましい。本発明の草取り機Ａの柄Ａ−３８の長さは特に制限するものではないが、１１００〜１３００ｍｍが好ましい。
【００５９】  本発明は、本発明の草取り機Ｂの大きさと重量を特に制限するものではないが、ボディＢ−１６の大きさは、略直方体として、幅１３０〜１６０ｍｍ、高さ１２０〜１８０ｍｍ、奥行き９５〜１３０ｍｍが好ましい。草取り機本体Ｂ−１の重量は、１６００〜２３００ｇが好ましい。本発明は、本発明の草取り機Ｂを構成する爪の刃部の「上下寸法」及び「左右寸法」を特に制限するものではないが、爪の刃部の「上下寸法」は前端から４０〜５０ｍｍが好ましい。爪の刃部の「左右寸法」は１４０〜１７０ｍｍが好ましい。本発明は、本発明の草取り機Ｂを構成する爪の刃部の厚みを特に制限するものではないが、１．５〜３ｍｍが好ましい。本発明の草取り機Ｂを構成する刃部の前端は略三角形状である。本発明は、該前端の「底辺寸法」、「高さ寸法」及び「厚み」を特に制限するものではないが、「底辺寸法」としては２８〜３２ｍｍが好ましく、「高さ寸法」は２６〜３４ｍｍが好ましく、「厚み」は１．４〜３ｍｍが好ましい。本発明の草取り機Ｂの柄Ｂ−３８の長さは特に制限するものではないが、１１００〜１３００ｍｍが好ましい。
【００６０】  以下、本発明を実施例によりさらに詳しく説明するが、本発明はこれらの実施例のみに限定されるものではない。
【実施例１】
【００６１】  果樹園の地面１０００ｍ２から任意の場所を１０ｍ２づつ分画し、分画した場所を草取り試験場とした。下記の草取り機（Ａ−１）を用いて、草取り試験場の雑草を除去する試験を所定時間行った。試験には、年齢５７歳〜６３歳の男性５名と年齢５７歳〜６３歳の女性５名の合計１０名を試験作業員とした。
草取り機（Ａ−１）の評価は、下記に示した、［生産性］、［正確性］、［安全性］、［操作性］及び［作業性］の５項目とした。評価結果を表１にまとめて示した。【００６２】  草取り機（Ａ−１）：ボディＡ−１６の大きさは、略直方体として、幅１４０ｍｍ、高さ１５０ｍｍ、奥行き１００ｍｍである。草取り機本体Ａ−１の重量は１６００ｇである。爪部の「左右の幅」は最大幅１６５ｍｍ、最少幅１５０ｍｍである。爪の刃部の「上下寸法」は前端から４５ｍｍ、「左右寸法」は１５０ｍｍ、「厚み」は２ｍｍである。刃部の前端は略三角形状で「底辺寸法」が３０ｍｍ、「高さ寸法」は３０ｍｍ、「厚み」は２ｍｍである。柄Ａ−３８の「長さ」は１２００ｍｍである。
【実施例２】
【００６３】前記の草取り機（Ａ−１）を下記の草取り機（Ｂ−１）に替えた以外、実施例１と同様に雑草を除去する試験を行ない実施例１と同様に評価を行なった。評価結果を表１にまとめて示した。【００６４】草取り機（Ｂ−１）：ボディＢ−１６の大きさは、略直方体として、幅１４０ｍｍ、高さ１５０ｍｍ、奥行き１１０ｍｍである。草取り機本体Ｂ−１の重量は２０００ｇである。爪部の「左右の幅」は最大幅１６５ｍｍで最少幅１５０ｍｍである。爪の刃部の「上下寸法」は前端から４５ｍｍ、「左右寸法は１５０ｍｍ、「厚み」は２ｍｍである。爪の前端は略三角形状で「底辺寸法」が３０ｍｍ、「高さ寸法」は３０ｍｍで「厚み」は２ｍｍである。柄Ｂ−３８の「長さ」は１２００ｍｍである。【００６５】  ［比較例１］〜［比較例４］
草取り機として、草取り機ａ、草取り機ｂ、園芸ヘッジトリマ及び園芸用バリカンをそれぞれ用いて、実施例１と同様に雑草を除去する試験を行なった。草取り機ａ、草取り機ｂ、園芸ヘッジトリマ及び園芸用バリカンについて、実施例１と同様に評価を行なった。評価結果を表１にまとめて示した。【００６６】  ［生産性］
草取り機等による草取り操作において、一回の草取り作業によって、土或いは草の根の崩し易さ、土或いは草の根の崩せる量の多少及び土或いは草の根を崩せる幅を定性的に下記の評価基準で評価した。
評価基準
Ａ：土或いは草の根の、崩し易すさ、崩せる量、崩せる幅が最も優れている。
Ｂ：土或いは草の根の、崩し易すさ、崩せる量、崩せる幅が優れている。
Ｃ：土或いは草の根の、崩し易すさ、崩せる量、崩せる幅のいずれかが不良である。
Ｄ：土或いは草の根の、崩し易すさ、崩せる量、崩せる幅のいづれも不十分である。【００６７】  ［正確性］
草取り機等による草取り操作において、草取り機等の一回の草取り操作により、所定の場所の雑草を除去作業後の草取り試験場の状態を定性的に下記の評価基準で評価した。
評価基準
Ａ：雑草の除去作業後の雑草の取り残しがない状態であり、最も優れている。
Ｂ：雑草の除去作業後の雑草の取り残しがほぼない状態であり、優れている。
Ｃ：雑草の除去作業後の雑草の取り残しがやや多い状態であり、やや不良である。【００６８】  ［安全性］
草取り機等による草取り操作において、草取り機等の跳ね返り動作の有無、草取り機等の草取り爪の刃部への小石等による駆動トラブルの有無の多少を定性的に下記の評価基準で評価した。
評価基準
Ａ：草取り機等の跳ね返り動作及び草取り機等の駆動トラブルがなく、最も優れている。
Ｂ：草取り機等の跳ね返り動作及び草取り機等の駆動トラブルがほとんどなく、優れている。
Ｃ：草取り機等の跳ね返り動作又は草取り機等の駆動トラブルがあり、やや不良である。
Ｄ：草取り機等の跳ね返り動作及び草取り機等の駆動トラブルが多発し、不良である。【００６９】  ［操作性］
草取り機等による狭い場所での草取り操作及び幹直近の草取り操作において、草取り機等の操作の容易さを定性的に下記の評価基準で評価した。
評価基準
Ａ：狭い場所での草取り操作及び幹直近の草取り操作にいずれも問題なく、容易に操作でき、最も優れている。
Ｂ：狭い場所での草取り操作及び幹直近の草取り操作にほぼ問題なく、操作でき、優れている。
Ｃ：狭い場所での草取り操作又は幹直近の草取り操作にやや問題があり、操作がやや不自由で、不良である。
Ｄ：狭い場所での草取り操作及び幹直近の草取り操作に問題があり、操作が困難で、不良である。【００７０】  ［作業性］
年齢５７歳〜６３歳の男性５名と年齢５７歳〜６３歳の女性５名の合計１０名の試験作業員により、草取り機等を用いて、草取り試験場の雑草を除去する試験として１０分間の草取り作業を実施した。草取り作業実施後、試験作業員に操作中の草取り機等の重量感を調査し、定性的に下記の評価基準で評価した。
評価基準
Ａ：試験作業員１０人全員が、草取り機等の重量感を問題とせず、最も優れている。
Ｂ：試験作業員１０人中８名が、草取り機等の重量感を問題とせず、２名が重量感を少し感じているが、良好とする。
Ｃ：試験作業員１０人中３名以上が、草取り機等の重量感を感じ、問題として、不良とする。【００７１】
【表１】
2016059375.tif 000003
【００７２】  表１において、
＊１：特許文献１に準拠した草取り機
＊２：特許文献２に準拠した草取り機
＊３：市販品
＊４：市販品
【符号の説明】
【００７３】  ［草取り爪部が２つの草取り機］
Ａ−１  草取り機本体
Ａ−２  駆動モータ
Ａ−３  駆動歯車
Ａ−４  スイッチ
Ａ−５  駆動手段
Ａ−６  ボディフランジ
Ａ−７  取付板
Ａ−８  取付スペーサ
Ａ−９  取付ボルト
Ａ−１０  歯車軸
Ａ−１１  ボディカバー
Ａ−１２  減速歯車
Ａ−１３  後側カム
Ａ−１４  前側カム
Ａ−１５  歯車軸スペーサ
Ａ−１６  ボディ
Ａ−１７  軸
Ａ−１８  軸スペーサ
Ａ−１９  軸ボルト
Ａ−２０  草取り爪軸部
Ａ−２１  ボディプレート
Ａ−２２  ボディ前板
Ａ−２３  爪軸スペーサ
Ａ−２４  後側草取り爪
Ａ−２５  後側刃部
Ａ−２６  後側刃部の前端部
Ａ−２７  前側草取り爪
Ａ−２８  前側刃部
Ａ−２９  前側刃部の前端部
Ａ−３０  後側爪長穴
Ａ−３１  後側爪長穴ガイド面
Ａ−３２  前側爪長穴
Ａ−３３  前側爪長穴ガイド面
Ａ−３４  後側爪カム長穴
Ａ−３５  後側爪カム長穴ガイド面
Ａ−３６  前側爪カム長穴
Ａ−３７  前側爪カム長穴ガイド面
Ａ−３８  柄
［草取り爪部が４つの草取り機］
Ｂ−１  草取り機本体
Ｂ−２  駆動モータ
Ｂ−３  駆動歯車
Ｂ−４  スイッチ
Ｂ−５  駆動手段
Ｂ−６  ボディフランジ
Ｂ−７  取付板
Ｂ−８  取付スペーサ
Ｂ−９  取付ボルト
Ｂ−１０  歯車軸
Ｂ−１１  ボディカバー
Ｂ−１２  減速歯車
Ｂ−１３−１  第１後側カム
Ｂ−１３−２  第２後側カム
Ｂ−１４−１  第１前側カム
Ｂ−１４−２  第２前側カム
Ｂ−１５−１  第１歯車軸スペーサ
Ｂ−１５−２  第２歯車軸スペーサ
Ｂ−１５−３  追加歯車軸スペーサ
Ｂ−１６  ボディ
Ｂ−１７  軸
Ｂ−１８  軸スペーサ
Ｂ−１９  軸ボルト
Ｂ−２０  草取り爪軸部
Ｂ−２１  ボディプレート
Ｂ−２２  ボディ前板
Ｂ−２３−１  第１爪軸スペーサ
Ｂ−２３−２  第２爪軸スペーサ
Ｂ−２３−３  追加爪軸スペーサ
Ｂ−２４−１  第１後側草取り爪
Ｂ−２４−２  第２後側草取り爪
Ｂ−２５−１  第１後側刃部
Ｂ−２５−２  第２後側刃部
Ｂ−２６−１  第１後側刃部の前端部
Ｂ−２６−２  第２後側刃部の前端部
Ｂ−２７−１  第１前側草取り爪
Ｂ−２７−２  第２前側草取り爪
Ｂ−２８−１  第１前側刃部
Ｂ−２８−２  第２前側刃部
Ｂ−２９−１  第１前側刃部の前端部
Ｂ−２９−２  第２前側刃部の前端部
Ｂ−３０−１  第１後側爪長穴
Ｂ−３０−２  第２後側爪長穴
Ｂ−３１−１  第１後側爪長穴ガイド面
Ｂ−３１−２  第２後側爪長穴ガイド面
Ｂ−３２−１  第１前側爪長穴
Ｂ−３２−２  第２前側爪長穴
Ｂ−３３−１  第１前側爪長穴ガイド面
Ｂ−３３−２  第２前側爪長穴ガイド面
Ｂ−３４−１  第１後側爪カム長穴
Ｂ−３４−２  第２後側爪カム長穴
Ｂ−３５−１  第１後側爪カム長穴ガイド面
Ｂ−３５−２  第２後側爪カム長穴ガイド面
Ｂ−３６−１  第１前側爪カム長穴
Ｂ−３６−２  第２前側爪カム長穴
Ｂ−３７−１  第１前側爪カム長穴ガイド面
Ｂ−３７−２  第２前側爪カム長穴ガイド面
Ｂ−３８  柄
［草取り機の付属品］
Ｃ−１  取手
［その他］
Ｄ−１  草
Ｄ−２  草の根
Ｄ−３  土
Ｄ−４  庭木
Ｄ−５  幹
Ｄ−６  野菜
【図Ａ−１】
2016059375.tif 000004
【図Ａ−２】
2016059375.tif 000005
【図Ａ−３】
2016059375.tif 000006
【図Ａ−４】
2016059375.tif 000007
【図Ａ−５】
2016059375.tif 000008
【図Ａ−６】
2016059375.tif 000009
【図Ａ−７】
2016059375.tif 000010
【図Ｂ−１】
2016059375.tif 000011
【図Ｂ−２】
2016059375.tif 000012
【図Ｂ−３】
2016059375.tif 000013
【図Ｂ−４】
2016059375.tif 000014
【図Ｂ−５】
2016059375.tif 000015
【図Ｂ−６】
2016059375.tif 000016
【図Ｂ−７】
2016059375.tif 000017
【図Ｂ−８】
2016059375.tif 000018
【図Ｂ−９】
2016059375.tif 000019
【図Ｃ−１】
2016059375.tif 000020
【図Ｃ−２】
2016059375.tif 000021
【図Ｃ−３】
2016059375.tif 000022
【図Ｄ−１】
2016059375.tif 000023